(57)【特許請求の範囲】
【請求項１】
上方に開口した点検口を有する略筒状のます本体と、
排水が流入する第１流入口を有し、前記ます本体の側部に設けられた第１流入筒状部と、
排水が流入する第２流入口を有し、少なくとも一部が前記ます本体の側部に設けられた第２流入筒状部と、
前記ます本体の側部に設けられ、排水が流出する流出口と、
前記ます本体内において、前記第１流入筒状部と前記流出口とに接続された第１排水流路と、
前記ます本体内および前記第２流入筒状部内において、前記第１排水流路と前記第２流入口とに接続された第２排水流路と、
を備え、
平面視において、前記第１排水流路における前記第２排水流路が接続された箇所よりも前記第１流入筒状部側の流路と、前記第２排水流路とのなす角度は、鋭角であり、
平面視において、前記第１流入口の端面を通る直線と前記第２流入口の端面を通る直線とは直交しており、
平面視において、前記第１流入口の中心軸と、前記点検口の中心点から前記第１流入口の中心軸に直交するように延びた第１の直線との交点を第１の交点とし、前記第１の交点を中心にして、前記第１流入口の中心軸とのなす角度が４５度となるように、前記第１の交点から前記第２流入口側に延びた直線を第２の直線としたとき、前記第２の直線と前記第２流入口の中心軸とが交わる第２の交点が、前記点検口の外方であって、前記第２排水流路上に位置し、
前記第１排水流路と前記第２排水流路との間には、上方に延びた仕切板が設けられ、
前記仕切板の上流端は、平面視において、前記点検口の外方であって、前記第１流入筒状部と前記第２流入筒状部との間に設けられている、排水ます。
【請求項２】
平面視において、前記第２流入筒状部は、前記第１流入筒状部側に凸となるように湾曲している、請求項１に記載された排水ます。
【請求項３】
前記第２流入筒状部は、配管が接続される接続しろを有し、
平面視において、前記接続しろの少なくとも一部は、前記点検口と重なっている、請求項１または２に記載された排水ます。
【請求項４】
前記ます本体と前記第２流入筒状部とは一体的に成形されている、請求項１から３までの何れか一つに記載された排水ます。
【請求項５】
平面視において、前記第２流入口の中心軸は、前記点検口の中心点よりも第１流入筒状部側に位置している、請求項１から４までの何れか一つに記載された排水ます。
【請求項６】
前記仕切板は、
前記第２流入筒状部から連続し、平面視において、前記第１流入筒状部側に凸となるように湾曲した曲板と、
前記曲板の下流端に設けられ、前記第２排水流路の下流側に延びた直板と、
を備えた、請求項１から５までの何れか一つに記載された排水ます。
【請求項７】
前記直板の上部は、下流側に向かうに連れて下方に傾斜している、請求項６に記載された排水ます。
【請求項８】
前記曲板は、平面視において、前記点検口の外方であって、前記第１流入筒状部と前記第２流入筒状部との間に設けられている、請求項６または７に記載された排水ます。
【請求項９】
前記第２流入筒状部は、前記ます本体の側部から前記第１流入筒状部の側部に亘って設けられている、請求項１から８までの何れか一つに記載された排水ます。
【請求項１０】
前記第１排水流路の途中部分の底面には、下流側に向かって下方に傾斜した傾斜部が設けられている、請求項１から９までの何れか一つに記載された排水ます。
【請求項１１】
前記第１流入筒状部の軸方向から見たとき、前記仕切板の少なくとも一部は、前記第１流入口を通じて視認される位置に配置されている、請求項１から１０までの何れか一つに記載された排水ます。
【請求項１２】
前記ます本体の側部に設けられた流出筒状部を備え、
前記流出口は、前記流出筒状部の下流端に設けられている、請求項１から１１までの何れか一つに記載された排水ます。
【請求項１３】
前記第２流入筒状部にエルボ管が回動自在に接続された、請求項１から１２までの何れか一つに記載された排水ます。
【発明の詳細な説明】
【技術分野】
【０００１】
本発明は、排水ますに関する。
【背景技術】
【０００２】
従来から、トイレなどの排水設備から排出された排水を下水本管へ流す排水システムなどにおいて、排水ますが用いられている。例えば、排水システムは、下水本管に接続された主管路と、排水設備に接続された分岐管路と、主管路と分岐管路とを接続する排水ますとを備えている。
【０００３】
例えば、上記排水ますが特許文献１に開示されている。特許文献１に開示された排水ますは、上方に開口した有底筒状のます本体を備えている。ます本体の側部には、互いに対向するように主管流入筒状部および主管流出筒状部が設けられている。また、ます本体の側部には、平面視において、端面を通る直線が主管流入筒状部の端面を通る直線と直交するように分岐管流入筒状部が設けられている。ます本体の底部には、主管流入筒状部と主管流出筒状部とに接続された主溝、および、主溝と分岐管流入筒状部とに接続された副溝が設けられている。副溝は主溝に対して鋭角に接続されている。特許文献１に記載された排水ますでは、分岐管流入筒状部からます本体内に流入した排水は、副溝および主溝を介して主管流出筒状部へ流れて、主管流出筒状部から排水ますの外部へ流出する。
【先行技術文献】
【特許文献】
【０００４】
【特許文献１】実公平４−２６５４８号公報
【発明の概要】
【発明が解決しようとする課題】
【０００５】
ところで、排水ますは、地中に埋設される。例えば、排水ますは、周りに他の配管などの部材が埋設されているような狭小地に埋設される。特許文献１に記載された排水ますでは、そのような狭小地に設置することが困難な場合がある。そこで、特許文献１に記載された排水ますにおいて、分岐管流入筒状部の端面の位置をずらすことが考えられる。例えば、平面視において、特許文献１に記載された排水ますの分岐管流入筒状部の端面の位置を点検口側にずらすように改変することが考えられる。このことによって、特許文献１に記載された排水ますに比べると、狭小地に設置し易くなる。しかし、分岐管流入筒状部の端面を点検口側にずらした場合、分岐管流入筒状部から排水が勢いよく流入した際、主溝と副溝との間に設けられた隆起部を乗り越えて、排水が主溝の上流側に流れることがあった。そして、主溝の上流側に流れた排水の一部が主管流入筒状部へ逆流して流出することがあった。
【０００６】
また、平面視において、特許文献１に記載された分岐管流入筒状部の端面の位置を主管流入筒状部側の方向にずらすように改変することが考えられる。この場合、埋設された配管を避けて排水ますを配置し易くなる。しかし、この場合、副溝と主溝とのなす角度が更に鋭角となり、その結果、副溝の幅が狭くなる。そのため、分岐管流入筒状部から排水が勢いよく流入した際、排水が副溝であふれるおそれがある。そして、副溝であふれた排水は、隆起部を乗り越えて主溝の上流側に流れ、その排水の一部が主管流入筒状部へ逆流して流出することがあった。
【０００７】
本発明はかかる点に鑑みてなされたものであり、その目的は、排水を流入させる第１流入口および第２流入口を備えた排水ますであって、狭小地に配置し易いと共に、第２流入口から流入した排水が第１流入口から逆流して流出してしまうことを防ぐことが可能な排水ますを提供することである。
【課題を解決するための手段】
【０００８】
本発明に係る排水ますは、略筒状のます本体と、第１流入筒状部と、第２流入筒状部と、流出口と、第１排水流路と、第２排水流路とを備えている。前記ます本体は、上方に開口した点検口を有している。前記第１流入筒状部は、排水が流入する第１流入口を有し、前記ます本体の側部に設けられている。前記第２流入筒状部は、排水が流入する第２流入口を有し、少なくとも一部が前記ます本体の側部に設けられている。前記流出口は、前記ます本体の側部に設けられ、排水が流出する。前記第１排水流路は、前記ます本体内において、前記第１流入筒状部と前記流出口とに接続されている。前記第２排水流路は、前記ます本体内および前記第２流入筒状部内において、前記第１排水流路と前記第２流入口とに接続されている。平面視において、前記第１排水流路における前記第２排水流路が接続された箇所よりも前記第１流入筒状部側の流路と、前記第２排水流路とのなす角度は、鋭角である。平面視において、前記第１流入口の端面を通る直線と前記第２流入口の端面を通る直線とは直交している。平面視において、前記第１流入口の中心軸と、前記点検口の中心点から前記第１流入口の中心軸に直交するように延びた第１の直線との交点を第１の交点とし、前記第１の交点を中心にして、前記第１流入口の中心軸とのなす角度が４５度となるように、前記第１の交点から前記第２流入口側に延びた直線を第２の直線としたとき、前記第２の直線と前記第２流入口の中心軸とが交わる第２の交点が、前記点検口の外方であって、前記第２排水流路上に位置している。前記第１排水流路と前記第２排水流路との間には、上方に延びた仕切板が設けられている。前記仕切板の上流端は、平面視において、前記点検口の外方であって、前記第１流入筒状部と前記第２流入筒状部との間に設けられている。
【０００９】
前記排水ますによれば、平面視において、第２の直線と第２流入口の中心軸とが交わる第２の交点が、点検口の外方であって、第２排水流路上に位置している。このような位置関係で第２流入口を配置することで、排水ますにおける第２流入口の軸方向に対する距離を、特許文献１の排水ますよりも短くすることができる。そのため、狭小地に配置し易くなる。また、このような位置関係で第２流入口を配置することで、第２排水流路の幅をある程度確保することができる。よって、第２流入口から流入した排水が第２排水流路であふれにくくなり、排水を円滑に流出口へ流すことができる。また、前記排水ますによれば、第１排水流路と第２排水流路との間には、仕切板が設けられている。よって、第２流入筒状部から勢いよく流入した排水が、仕切板によって、第２排水流路の側面を超えて第１排水流路の上流側に流れることを防ぐことができると共に、排水が仕切板によって第１排水流路の下流側に導かれ易い。よって、第２流入筒状部から流入した排水が、第１流入筒状部から逆流して流出することを防ぐことができる。
【００１０】
本発明の好ましい一態様によれば、平面視において、前記第２流入筒状部は、前記第１流入筒状部側に凸となるように湾曲している。
【００１１】
上記態様によれば、第２流入口から第２流入筒状部に流入した排水は、第２流入筒状部の湾曲部分に沿って、流出口へ流れ易い。よって、第２流入筒状部に流入した排水が、第１流入筒状部から逆流して流出しにくくすることができる。
【００１２】
本発明の好ましい他の一態様によれば、前記第２流入筒状部は、配管が接続される接続しろを有している。平面視において、前記接続しろの少なくとも一部は、前記点検口と重なっている。
【００１３】
上記態様によれば、排水ますにおける第２流入筒状部の軸方向に対する距離を、特許文献１に記載された排水ますよりも短くすることができる。よって、特許文献１の排水ますに比べてコンパクト化を図ることができ、狭小地に設置し易い。
【００１４】
本発明の好ましい他の一態様によれば、前記ます本体と前記第２流入筒状部とは一体的に成形されている。
【００１５】
上記態様によれば、第２流入筒状部とます本体との間から排水が漏れなくなる。第２流入筒状部に流入した排水を、ます本体内に円滑に流すことができる。
【００１６】
本発明の好ましい他の一態様によれば、平面視において、前記第２流入口の中心軸は、前記点検口の中心点よりも第１流入筒状部側に位置している。
【００１７】
上記態様によれば、第２流入口から流入した排水は、平面視において、点検口の外方で仕切板にぶつかり易くなる。そのため、仕切板にぶつかった排水は、散らばりにくく、第２排水流路の下流側へ流れ易くなる。
【００１８】
本発明の好ましい一態様によれば、前記仕切板は、前記第２流入筒状部から連続し、平面視において、前記第１流入筒状部側に凸となるように湾曲した曲板と、前記曲板の下流端に設けられ、前記第２排水流路の下流側に延びた直板と、を備えている。
【００１９】
上記態様によれば、第２流入筒状部から勢いよく流入した排水は、曲板にぶつかった後、曲板によって、第２排水流路の下流側に流れ易い。よって、第２流入筒状部から流入した排水は、曲板に沿って第１排水流路の下流側へ流れ易い。また、第１流入筒状部からます本体内に流入した排水は、曲板に沿って流れるため、第１排水流路の下流側に流れ易くなる。
【００２０】
本発明の好ましい他の一態様によれば、前記直板の上部は、下流側に向かうに連れて下方に傾斜している。
【００２１】
ます本体内に破損または詰まりなどがあるか否かのメンテナンスを行うために、点検口からます本体内に向けて、メンテナンス用の維持管理器具を挿入する。上記態様によれば、直板の上部は、下流側に向かうに連れて下方に傾斜している。そのため、維持管理器具を点検口からます本体内に挿入する際、維持管理器具は、直板の上部の傾斜を滑るようにして、ます本体内に案内される。よって、維持管理器具をます本体内に円滑に挿入することができる。
【００２２】
本発明の好ましい他の一態様によれば、前記曲板は、平面視において、前記点検口の外方であって、前記第１流入筒状部と前記第２流入筒状部との間に設けられている。
【００２３】
第２流入筒状部からます本体内に排水が勢いよく流入したとき、排水は仕切板の曲板にぶつかる。曲板にぶつかった排水は、あらゆる方向に散らばり易いため、ます本体内に飛び散るおそれがある。しかし、上記態様によれば、曲板は、平面視において、点検口の外方であって、第１流入筒状部と第２流入筒状部との間に設けられている。そのため、曲板にぶつかった排水は、第２流入筒状部内に飛び散るため、ます本体内のあらゆる箇所に飛び散りにくくすることができる。
【００２４】
本発明の好ましい他の一態様によれば、前記第２流入筒状部は、前記ます本体の側部から前記第１流入筒状部の側部に亘って設けられている。
【００２５】
上記態様によれば、第２排水流路の距離を確保することができる。よって、第２流入筒状部から流入した排水の量が多い場合であっても、第２排水流路内で排水が詰まりにくくすることができる。
【００２６】
本発明の好ましい他の一態様によれば、前記第１排水流路の途中部分の底面には、下流側に向かって下方に傾斜した傾斜部が設けられている。
【００２７】
上記態様によれば、第１排水流路の下流側に流入した排水は、傾斜部によって、第１排水流路の上流側に逆流しにくくなる。よって、第１排水流路の下流側に流入した排水が、第１流入筒状部から逆流して流出することを防止することができる。
【００２８】
本発明の好ましい他の一態様によれば、前記第１流入筒状部の軸方向から見たとき、前記仕切板の少なくとも一部は、前記第１流入口を通じて視認される位置に配置されている。
【００２９】
上記態様によれば、第２排水流路の幅を広くすることができる。よって、第２排水流路において、排水が流れる量を多くすることができる。したがって、第２排水流路内の排水が第２流入筒状部から逆流して流出しにくくすることができる。
【００３０】
本発明の好ましい他の一態様によれば、前記ます本体の側部に設けられた流出筒状部を備えている。前記流出口は、前記流出筒状部の下流端に設けられている。
【００３１】
上記態様によれば、流出口と第１排水流路の下流端との間には、流出筒状部によって、距離が確保されている。よって、外部の排水が流出口からます本体内の第１排水流路に流入しにくくすることができる。
【００３２】
本発明の好ましい他の一態様によれば、前記第２流入筒状部の前記接続しろにエルボ管が回動自在に接続されている。
【００３３】
上記態様によれば、第２流入筒状部に接続される配管がどのような方向に延びている場合であっても、エルボ管を介して、配管と第２流入筒状部とを接続し易い。
【発明の効果】
【００３４】
本発明によれば、排水を流入させる第１流入口および第２流入口を備えた排水ますであって、狭小地に配置し易いと共に、第２流入口から流入した排水が第１流入口から逆流して流出してしまうことを防ぐことが可能な排水ますを提供することができる。
【図面の簡単な説明】
【００３５】
【図１】実施形態に係る排水システムの平面図である。
【図２】実施形態に係る排水ますの平面図である。
【図３】排水ますの正面図である。
【図４】図２のＩＶ−ＩＶ断面における排水ますの断面図である。
【図５】図２のＶ−Ｖ断面における排水ますの断面図である。
【図６】排水ますの左側面図である。
【図７】排水ますの右側面図である。
【図８】図３のＶＩＩＩ−ＶＩＩＩ断面における排水ますの断面図である。
【図９】排水ますを構成する各部材を分解した平面図である。
【図１０】他の実施形態に係る排水ますの平面図である。
【図１１】他の実施形態に係る排水ますの右側面図である。
【発明を実施するための形態】
【００３６】
以下、図面を参照しながら、本発明に係る排水ますの実施形態について説明する。ここで説明される実施形態は、当然ながら特に本発明を限定することを意図したものではない。また、同じ作用を奏する部材・部位には同じ符号を付し、重複する説明は省略または簡略化する。
【００３７】
図１は、実施形態に係る排水ます３０Ａを備えた排水システム１の平面図である。排水システム１は、図１に示すように、排水が流れるシステムである。ここで、「排水」には、汚水および雨水が含まれる。「汚水」とは、トイレ、風呂、および台所の流し台などから排出される水であり、そのままでは河川に放流させることができないものである。本実施形態では、トイレ、風呂、および台所の流し台などのように、汚水が排出される設備を排水設備５とする。ここでは、排水設備５は、トイレ、風呂、および台所の流し台などの何れかであるが、特にトイレであることが好ましい。なお、図１では、２つの排水設備５が図示されているが、排水設備５の数は特に限定されない。排水設備５は、１つであってもよいし、３つ以上であってもよい。「雨水」とは、降雨などの自然現象に起因する水であり、そのまま河川に放流させることができるものである。ここでは、排水システム１は、排水のうち排水設備５から排出された汚水を、下水処理場（図示せず）に接続された下水本管６に流すシステムである。しかし、排水システム１は、雨水が流れるシステムであってもよい。この場合、排水設備５は、雨水が集約される側溝などに置換され、下水本管６は、雨水本管または河川などに変換される。図示は省略するが、排水システム１は、地中に埋設されている。排水システム１は、主管路１０と、分岐管路２０と、排水ます３０Ａとを備えている。
【００３８】
主管路１０は、排水設備５から排出された排水が集約される管路である。図１において、便宜上、右を主管路１０の上流とし、左を主管路１０の下流とする。主管路１０は、特に図示はしていないが、下流に向かうに連れて下方に傾斜している。主管路１０は、第１主管路１１と、第２主管路１２と、第３主管路１３とを備えている。第１主管路１１の上流端には、例えば、排水設備５とは異なる排水設備（図示せず）が接続されている。第１主管路１１の下流端には、上流側の排水ます３０Ａ（図１において、右の排水ます３０Ａ）が接続されている。第２主管路１２の上流端には、上流側の排水ます３０Ａが接続され、下流端には、下流側の排水ます３０Ａ（図１において、左の排水ます３０Ａ）が接続されている。第３主管路１３の上流端には、下流側の排水ます３０Ａが接続され、下流端には、下水本管６が接続されている。なお、主管路１０の下流側には、公共ます（図示せず）が設けられていてもよい。
【００３９】
分岐管路２０は、排水設備５から排出された排水を、排水ます３０Ａを介して主管路１０へ流す管路である。分岐管路２０は、排水設備５と排水ます３０Ａとに接続されている。ここでは、分岐管路２０は、第１分岐管路２１と、第２分岐管路２２とを備えている。なお、図１において、便宜上、下を分岐管路２０の上流とし、上を分岐管路２０の下流とする。第１分岐管路２１の上流端には、上流側の排水設備５が接続され、下流端には、上流側の排水ます３０Ａが接続されている。第２分岐管路２２の上流端には、下流側の排水設備５が接続され、下流端には、下流側の排水ます３０Ａが接続されている。なお、「管路」とは、水を流通させる通路を意味する。「管路」は、一本の配管によって構成されていてもよいし、複数本の配管とそれら配管を接続する継手によって構成されていてもよい。
【００４０】
次に、本実施形態に係る排水ます３０Ａについて説明する。なお、図１では、２つの排水ます３０Ａが図示されているが、２つの排水ます３０Ａは同様の構成をしている。ただし、２つの排水ます３０Ａは異なる構成であってもよい。例えば、２つの排水ます３０Ａのうち何れか一方は、従来公知の排水ますであってもよい。排水ます３０Ａは、排水設備５から排出された排水と主管路１０の上流側から流れる排水とを合流させ、その排水を主管路１０の下流側へ流すものであり、いわゆる合流ますである。排水ます３０Ａは、主管路１０の途中箇所に設けられている。
【００４１】
図２は、本実施形態に係る排水ます３０Ａの平面図である。図３は、排水ます３０Ａの正面図である。図４は、図２のＩＶ−ＩＶ断面における排水ます３０Ａの断面図である。図５は、図２のＶ−Ｖ断面における排水ます３０Ａの断面図である。図６は、排水ます３０Ａの左側面図である。図７は、排水ます３０Ａの右側面図である。図８は、図３のＶＩＩＩ−ＶＩＩＩ断面における排水ますの断面図である。なお、図２から図８などにおいて、符号Ｆ、Ｒｒ、ＬおよびＲは、それぞれ排水ます３０Ａの前、後、左および右を表している。ただし、各方向は説明の便宜上定めたものであり、本発明を特に限定するものではない。排水ます３０Ａは、図２に示すように、ます本体３１と、第１流入筒状部３２と、第２流入筒状部３３と、流出筒状部３４と、第１排水流路３５と、第２排水流路３６と、仕切板７１とを備えている。
【００４２】
ます本体３１は、図３に示すように、上下方向に延びた略筒状の形状を有している。ます本体３１は、図４に示すように、内部に空間を有している。ます本体３１の上部には、点検口４１が形成されている。点検口４１は、上方に開口している。点検口４１は、作業者がます本体３１、第１流入筒状部３２、第２流入筒状部３３および流出筒状部３４の内部に破損または詰まりなどがあるか否かのメンテナンスを行う部位である。なお、特に図示していないが、点検口４１には縦管が接続され、この縦管の上端には蓋が被せられている。なお、ここでは、点検口４１とは、平面視において、ます本体３１の上部の内周面内のことをいう。
【００４３】
第１流入筒状部３２は、ます本体３１の側部に設けられている。ここでは、図２に示すように、平面視において、第１流入筒状部３２の中心軸Ｌ１２は、点検口４１の中心軸Ｌ１１よりも第２流入筒状部３３とは反対側、すなわち、後方に位置している。図４に示すように、正面視において、第１流入筒状部３２の中心軸Ｌ１２と、点検口４１の中心軸Ｌ１１とは直交している。第１流入筒状部３２の上流部には、接続しろ６１が設けられている。接続しろ６１には、主管路１０の上流側を構成する配管が接続される。例えば、図１に示すように、上流側の排水ます３０Ａの第１流入筒状部３２の接続しろ６１には、第１主管路１１の下流端を構成する配管が接続され、下流側の排水ます３０Ａの第１流入筒状部３２の接続しろ６１には、第２主管路１２の下流端を構成する配管が接続される。本実施形態では、第１流入筒状部３２の接続しろ６１は、図４に示すように、配管が挿入される受口であるが、配管に挿入される差口であってもよい。
【００４４】
第１流入筒状部３２は、第１流入口５１を有している。第１流入口５１は、第１流入筒状部３２の上流端、すなわち、接続しろ６１の上流端に設けられている。第１流入口５１には、排水が流入する。ここでは、第１流入口５１は、側方に開口している。正面視において、第１流入口５１の端面を通る直線と点検口４１の端面を通る直線とは直交している。なお、ここでは、第１流入筒状部３２の中心軸Ｌ１２は、第１流入口５１の中心軸でもある。そのため、中心軸Ｌ１２は、適宜、第１流入口５１の中心軸ともいう。
【００４５】
図２に示すように、第２流入筒状部３３の少なくとも一部は、ます本体３１の側部に設けられている。本実施形態では、第２流入筒状部３３は、ます本体３１の側部から第１流入筒状部３２の側部に亘って設けられている。第２流入筒状部３３の中心軸Ｌ１３は、平面視において、点検口４１の中心軸Ｌ１１よりも第１流入筒状部３２側、すなわち、右方に位置している。第２流入筒状部３３の流出筒状部３４側の側端部は、点検口４１の中心軸Ｌ１１よりも第１流入筒状部３２側に位置している。ただし、第２流入筒状部３３は、第１流入筒状部３２の側部には設けられず、ます本体３１の側部にのみ設けられていてもよい。なお、本実施形態では、第２流入筒状部３３の中心軸Ｌ１３とは、第２流入筒状部３３の端面、すなわち、後述する第２流入口５２の中心軸のことをいう。そのため、中心軸Ｌ１３は、適宜、第２流入口５２の中心軸ともいう。第２流入筒状部３３は、第１流入筒状部３２側に凸となるように湾曲している。第２流入筒状部３３は、下流側に向かうに連れて流出口５３側に向くように若干湾曲している。ここでは、第２流入筒状部３３のうち、下流側かつ第１流入筒状部３２側（すなわち右方側）の部分が、下流側に向かうに連れて流出口５３側に向くように若干湾曲している。図３に示すように、第２流入筒状部３３の底部は、第１流入筒状部３２の底部と同じ高さの位置に配置されている。ここでは、第２流入筒状部３３の底部は、流出筒状部３４の底部よりも高い位置に配置されているが、流出筒状部３４の底部と同じ高さの位置に配置されていてもよい。図２に示すように、第２流入筒状部３３の中心軸Ｌ１３は、第１流入筒状部３２の中心軸Ｌ１２と直交している。図７に示すように、第２流入筒状部３３の中心軸Ｌ１３は、点検口４１の中心軸Ｌ１１と直交している。
【００４６】
図２に示すように、第２流入筒状部３３の上流部には、接続しろ６２が設けられている。第２流入筒状部３３の接続しろ６２には、分岐管路２０を構成する配管が接続される。例えば、図１に示すように、上流側の排水ます３０Ａの第２流入筒状部３３の接続しろ６２には、第１分岐管路２１の下流端を構成する配管が接続される。下流側の排水ます３０Ａの第２流入筒状部３３の接続しろ６２には、第２分岐管路２２の下流端を構成する配管が接続される。第２流入筒状部３３の接続しろ６２は、受口であるが、差口であってもよい。図２に示すように、平面視において、第２流入筒状部３３の接続しろ６２の一部は、点検口４１と重なっている。ここでは、平面視において、接続しろ６２の流出筒状部３４側の部分、すなわち、左部の下流側が点検口４１と重なっている。ただし、平面視において、接続しろ６２の左部全体が点検口４１と重なっていてもよいし、接続しろ６２の中央部分または右部の下流側が点検口４１と重なっていてもよい。
【００４７】
図３に示すように、第２流入筒状部３３は、第２流入口５２を有している。第２流入口５２は、図２に示すように、第２流入筒状部３３の上流端、すなわち、接続しろ６２の上流端に設けられている。第２流入口５２には、排水が流入する。ここでは、第２流出口５２は、前方に向かって開口している。図７に示すように、側面視において、第２流入口５２の端面を通る直線と点検口４１の端面を通る直線とは、直交している。また、図２に示すように、平面視において、第２流入口５２の端面を通る直線と第１流入口５１の端面を通る直線とは直交している。平面視において、第２流入口５２の中心軸Ｌ１３は、点検口４１の外方であって、点検口４１よりも第１流入筒状部３２側に位置している。
【００４８】
平面視において、点検口４１の中心軸（中心点）Ｌ１１から第１流入口５１の中心軸Ｌ１２に直交するように延びた直線を直線Ｌ３１とし、第１流入口５１の中心軸Ｌ１２と直線Ｌ３１との交点を交点Ｐ４１とする。交点Ｐ４１から第２流入口５２側に延びた直線を直線Ｌ３２とする。交点Ｐ４１を中心にして、交点Ｐ４１よりも第１流入筒状部３２側の第１流入口５１の中心軸Ｌ１２と、直線Ｌ３２とのなす角度Ｒ２は、４５度である。このとき、直線Ｌ３２と第２流入口５２の中心軸Ｌ１３とが交わる交点を交点Ｐ４２としたとき、この交点Ｐ４２は、平面視において、点検口４１の外方であって、第２排水流路３６上に位置している。ここでは、交点Ｐ４２は、平面視において、第２流入筒状部３３のうち接続しろ６２を除いた部位上に位置している。なお、本実施形態では、直線Ｌ３１および直線Ｌ３２は、それぞれ本発明の「第１の直線」および「第２の直線」に対応している。また、交点Ｐ４１および交点Ｐ４２は、それぞれ本発明の「第１の交点」および「第２の交点」に対応している。
【００４９】
流出筒状部３４は、ます本体３１の側部であって第１流入筒状部３２の反対側に設けられている。流出筒状部３４と第１流入筒状部３２とは対向している。ただし、流出筒状部３４は、第１流入筒状部３２の反対側に設けられていなくてもよい。流出筒状部３４の中心軸Ｌ１４は、点検口４１の中心軸Ｌ１１よりも第２流入筒状部３３とは反対側に位置している。ここでは、流出筒状部３４の長さ方向の距離は、第１流入筒状部３２の長さ方向の距離よりも短い。図３に示すように、流出筒状部３４の底部は、第１流入筒状部３２の底部および第２流入筒状部３３の底部よりも低い位置に配置されている。ただし、流出筒状部３４の底部は、第１流入筒状部３２の底部または第２流入筒状部３３の底部と同じ高さに配置されていてもよい。図２に示すように、流出筒状部３４の中心軸Ｌ１４は、第１流入筒状部３２の中心軸Ｌ１２と平行である。また、平面視において、流出筒状部３４の中心軸Ｌ１４と、第２流入筒状部３３の中心軸Ｌ１３とは直交している。図４に示すように、正面視において、流出筒状部３４の中心軸Ｌ１４は、点検口４１の中心軸Ｌ１１と直交している。
【００５０】
流出筒状部３４の下流部には、接続しろ６３が設けられている。流出筒状部３４の接続しろ６３には、主管路１０を構成する配管が接続される。例えば、図１に示すように、上流側の排水ます３０Ａの流出筒状部３４の接続しろ６３には、第２主管路１２の上流端を構成する配管が接続される。下流側の排水ます３０Ａの流出筒状部３４の接続しろ６３には、第３主管路１３の上流端を構成する配管が接続される。図４に示すように、流出筒状部３４の接続しろ６３は、受口であるが差口であってもよい。
【００５１】
図６に示すように、流出筒状部３４は、流出口５３を有している。図４に示すように、流出口５３は、流出筒状部３４の下流端、すなわち、接続しろ６３の下流端に設けられている。流出口５３は、流出筒状部３４を介して、ます本体３１の側部に設けられている。ここでは、流出口５３は、ます本体３１の側部であって第１流入口５１の反対側に設けられているが、第１流入口５１の反対側に設けられていなくてもよい。ます本体３１内に流入した排水は、流出口５３から外部へ流出する。ここでは、流出口５３は、側方に開口している。図２に示すように、平面視において、流出口５３の端面は、第１流入口５１の端面と平行である。流出口５３は、第１流入口５１と対向している。平面視において、流出口５３の端面を通る直線は、第２流入口５２の端面を通る直線と直交している。また、図３に示すように、正面視において、流出口５３の端面を通る直線は、点検口４１の端面を通る直線と直交している。なお、本実施形態では、流出口５３は、流出筒状部３４に設けられているが、ます本体３１の側部に直接形成されていてもよい。
【００５２】
次に、点検口４１、第１流入口５１、第２流入口５２および流出口５３の大きさの関係について説明する。図２に示すように、点検口４１は、第１流入口５１、第２流入口５２および流出口５３よりも大きく開口している。言い換えると、点検口４１の内径は、第１流入口５１の内径、第２流入口５２の内径および流出口５３の内径よりも長い。そのため、作業者は、点検口４１を通じて、ます本体３１、第１流入筒状部３２、第２流入筒状部３３および流出筒状部３４の内部のメンテナンスを容易に行うことができる。ここでは、第１流入口５１、第２流入口５２および流出口５３は、それぞれ同じ大きさであるが、それぞれ大きさが異なっていてもよい。
【００５３】
本実施形態では、ます本体３１、第１流入筒状部３２、第２流入筒状部３３および流出筒状部３４は、一体的に成形されている。しかし、ます本体３１、第１流入筒状部３２、第２流入筒状部３３および流出筒状部３４は、それぞれ別体で成形されて、成形後、互いが組付けられてもよい。また、ます本体３１、第１流入筒状部３２、第２流入筒状部３３および流出筒状部３４のうち、何れか２つまたは３つが一体的に成形されていてもよい。
【００５４】
第１排水流路３５は、ます本体３１内に設けられている。第１排水流路３５は、第１流入筒状部３２と流出筒状部３４とに接続されている。第１排水流路３５は、第１流入筒状部３２および流出筒状部３４と連続している。ここでは、第１排水流路３５は、平面視において、真っ直ぐな溝である。ただし、第１排水流路３５は、平面視において、少なくとも一部が湾曲した溝であってもよい。図４に示すように、第１排水流路３５の底部には、傾斜部３５ａが設けられている。傾斜部３５ａは、第１排水流路３５の途中部分の底部に設けられている。傾斜部３５ａは、第１排水流路３５のうち傾斜部３５ａが設けられた箇所よりも上流側の底部３５ｂ（以下、第１排水流路３５の上流側の底部３５ｂともいう。）から下流側に向かって下方に傾斜している。
【００５５】
図２に示すように、第２排水流路３６は、ます本体３１内および第２流入筒状部３３内に設けられている。第２排水流路３６は、第２流入口５２と第１排水流路３５の途中部分とに接続されている。第２排水流路３６は、第２流入口５２および第１排水流路３５と連続している。ここでは、第２排水流路３６は、第１排水流路３５の上流側と隣合うようにして、第１排水流路３５の上流側の前方に設けられている。第２排水流路３６は、下流側に向かう程、第１排水流路３５に近づいている。ここでは、第１排水流路３５の下流側に第２排水流路３６が接続されている。平面視において、第２排水流路３６と第１排水流路３５の上流側とのなす角度Ｒは、鋭角である。この角度Ｒは、例えば４５度である。しかし、角度Ｒは、直角すなわち９０度であってもよい。ここで、角度Ｒとは、平面視において、第２排水流路３６の幅方向の中心を繋ぐ線の延長線Ｌ２１と、第１排水流路３５の幅方向の中心を繋ぐ線の延長線Ｌ２２とのなす角度のことである。第２排水流路３６の幅は、上流から下流に向かうに連れて短くなっている。図３に示すように、第２排水流路３６の底部は、上流側から下流側に向かって下方に傾斜している。詳しくは、第２排水流路３６の底部は、上流側から下流側に向かって緩やかに傾斜している。このことによって、第２流入筒状部３３からます本体３１に流入した排水を、第２排水流路３６の上流側から下流側へ自然に流すことができる。よって、第２流入筒状部３３からます本体３１に流入した排水が、第１流入筒状部３２へ逆流しにくくすることができる。ここでは、第２排水流路３６の下流側の底部は、第１排水流路３５の下流側の底部と同じ高さである。
【００５６】
図８に示すように、仕切板７１は、第１流入筒状部３２の下流部と第２流入筒状部３３の下流部、および、第１排水流路３５と第２排水流路３６を仕切る板である。仕切板７１は、第１流入筒状部３２の下流部と第２流入筒状部３３の下流部との間から、第１排水流路３５と第２排水流路３６との間に亘って設けられている。図７に示すように、第１流入筒状部３２の軸方向から見たとき（ここでは、右側面視において）、仕切板７１の一部は、第１流入口５１を通じて視認される位置に配置されている。ここでは、図６に示すように、流出筒状部３４の軸方向から見たとき（ここでは、左側面視において）、仕切板７１の一部は、流出口５３を通じて視認される位置に配置されている。図５に示すように、仕切板７１は、上方に向かって延びている。ここでは、仕切板７１は、曲板７２と、直板７３とを備えている。図２に示すように、曲板７２は、平面視において、点検口４１の外方に配置されている。ここでは、曲板７２は、第１流入筒状部３２と第２流入筒状部３３との間であって、第１流入筒状部３２と第２流入筒状部３３とが接続される位置から、流出筒状部３４側に向かって延びている。曲板７２は、平面視において、第１流入筒状部３２と第２流入筒状部３３とによって、隠れた位置に設けられている。図８に示すように、曲板７２は、平面視において、第１流入筒状部３２側、すなわち、後方に凸となるように湾曲している。ここでは、曲板７２の第２流入筒状部３３側の側面は、上流側から下流側に向かうに連れて緩やかに湾曲している。直板７３は、曲板７２の下流端に設けられている。図２に示すように、直板７３は、平面視において、点検口４１内に配置されている。直板７３は、第２排水流路３６の下流側に延びている。ここでは、直板７３は、曲板７２の下流端から点検口４１の中心軸Ｌ１１に向かって真っ直ぐに延びている。ただし、直板７３は、平面視において、多少湾曲していてもよく、この場合、直板７３は、曲板７２と一体となって滑らかに湾曲していてもよい。図５に示すように、直板７３の上部は、下流側に向かうに連れて下方に傾斜している。図２に示すように、直板７３の下流端は、第２流入口５２よりも流出口５３側（図２では、第２流入口５２よりも左方）に位置している。このことによって、第２流入口５２から流入した排水を、第２排水流路３６に沿って流出口５３へ確実に流すことができる。
【００５７】
図９は、排水ます３０Ａを分解した平面図である。なお、図９において、説明の便宜上、排水ます３０Ａの各部材を分解して図示しているが、実際には、各部材は互いに接続されている。図９に示すように、本実施形態では、ます本体３１は、筒状の形状を有しており、平面視において、点検口４１よりも外側に側部が広がっていない形状である。第１流入筒状部３２は、平面視において、点検口４１から右方に延びた筒状の部材である。第２流入筒状部３３は、平面視において、点検口４１から右斜め前に向かって湾曲しながら延びた筒状の部材である。第１流入筒状部３２と第２流入筒状部３３との境目は、仕切板７１の曲板７２である。流出筒状部３４は、平面視において、点検口４１から左方に延びた筒状の部材である。なお、本発明の「ます本体の側部に設けられ、排水が流出する「流出口」」とは、符号５３ａが示す部位のことである。符号５３ａは、ます本体３１における流出筒状部３４が接続された箇所の開口部分を示している。
【００５８】
なお、排水ます３０Ａの製造方法は特に限定されない。例えば、排水ます３０Ａは、ます本体３１、第１流入筒状部３２、第２流入筒状部３３、流出筒状部３４および仕切板７１などが一体となって成形されてもよい。この場合、それら部位が一体となるような金型を用いて排水ます３０Ａが成形されることが好ましい。ただし、排水ます３０Ａは、ます本体３１、第１流入筒状部３２、第２流入筒状部３３、流出筒状部３４および仕切板７１などの各部品が、それぞれ別体で成形され、各部品が成形された後に、それぞれの部品同士が組付けられてもよい。この場合、各部品は、各部品に対応する金型を用いて成形されることが好ましい。
【００５９】
次に、排水ます３０Ａを備えた排水システム１の利用方法について説明する。本実施形態に係る排水システム１では、図１に示すように、排水設備５から排出された排水を下水本管６へ排出する。ここでは、上流側に配置された排水設備５（図１の右側に示された排水設備５）から排出された排水の流れについて説明する。下流側に配置された排水設備５（図１の左側に示された排水設備５）から排出された排水の流れは、上流側の排水設備５から排出された排水の流れと同様のため、ここでの説明は省略する。
【００６０】
上流側の排水設備５から排出された排水は、第１分岐管路２１内を流れ、第２流入口５２からます本体３１内に流入する。第２流入口５２から流入した排水は、図２に示すように、第２排水流路３６へ流れる。第２排水流路３６へ流れた排水は、仕切板７１の曲板７２および直板７３に沿って、第１排水流路３５の下流部へ流れ、その後、流出筒状部３４へ流れる。流出筒状部３４へ流れた排水は、図１に示すように、排水ます３０Ａから流出し、第２主管路１２へ流れる。その後、第２主管路１２へ流れた排水は、下流側の排水ます３０Ａの第１流入筒状部３２からます本体３１内に流入する。このとき、下流側の排水設備５から排水が排出されている場合、その排水は、下流側の排水ます３０Ａ内で主管路１０の上流側から流れてきた排水と合流する。その後、下流側の排水ます３０Ａ内に流入した排水は、第３主管路１３へ流れる。そして、第３主管路１３に流れた排水は、下水本管６へ流出する。
【００６１】
以上のように、本実施形態では、図２に示すように、平面視において、第１排水流路３５における第２排水流路３６が接続された箇所よりも第１流入筒状部３２側の流路と、第２排水流路３６とのなす角度Ｒは、鋭角である。このことによって、第２流入筒状部３３から第２排水流路３６に流入した排水は、第２排水流路３６に沿って流れるため、その流れの向きのまま第１排水流路３５に流入する。よって、排水は、第１排水流路３５の下流側に流れ易くなり、第１排水流路３５の上流側には逆流しにくくなる。
【００６２】
平面視において、点検口４１の中心軸Ｌ１１から第１流入口５１の中心軸Ｌ１２に直交するように延びた直線Ｌ３１と、第１流入口５１の中心軸Ｌ１２との交点を交点Ｐ４１とする。交点Ｐ４１から第２流入口５２側に延びた直線を直線Ｌ３２とする。交点Ｐ４１を中心にして、第１流入口５１の中心軸Ｌ１２と、直線Ｌ３２とのなす角度Ｒ２は、４５度である。このとき、直線Ｌ３２と第２流入口５２の中心軸Ｌ１３とが交わる交点を交点Ｐ４２としたとき、この交点Ｐ４２は、平面視において、点検口４１の外方であって、第２排水流路３６上に位置している。このような位置関係で第２流入口５２を配置することで、排水ます３０Ａにおける第２流入口５２の軸方向に対する距離を、特許文献１の排水ますよりも短くすることができる。そのため、狭小地に配置し易くなる。
【００６３】
例えば、平面視において、交点Ｐ４２が第２流入口５２よりも外側（図２では、第２流入口５２よりも前方）に位置するように、第２流入筒状部３３および第２流入口５２を配置した場合、第１排水流路３５と第２排水流路３６とのなす角度Ｒが、本実施形態の排水ます３０Ａの場合よりも、更に鋭角になる。そのため、第２排水流路３６の幅が狭くなる。このことによって、第２排水流路３６に排水があふれて、その排水の一部が第１流入筒状部３２に逆流するおそれがある。また、第２排水流路３６の幅が狭くなると、第２流入筒状部３３の開口面積が小さくなる。そのため、作業者が第２流入筒状部３３の内部に破損または詰まりなどがあるか否かのメンテナンスをする際、維持管理器具（図示せず）を点検口４１から第２流入筒状部３３に向かって挿入しにくくなる。よって、メンテナンスがしにくくなる。
【００６４】
例えば、平面視において、交点Ｐ４２が点検口４１内に位置するように、第２流入筒状部３３および第２流入口５２を配置した場合、第２流入筒状部３３から流入した排水は、仕切板７１の直板７３に直接ぶつかり易い。直板７３にぶつかった排水は、散らばり易い。そして、散らばった排水の一部が、直板７３を乗り越えて第１流入筒状部３２に向かって逆流するおそれがある。
【００６５】
しかし、本実施形態のような位置関係で第２流入口５２を配置することで、第２排水流路３６の幅をある程度確保することができる。第２流入筒状部３３から流入した排水は、仕切板７１の曲板７２にぶつかり、直板７３にはぶつかりにくい。よって、第２流入筒状部３３から流入した排水が第２排水流路３６であふれにくくなると共に、排水を円滑に流出口５３へ流すことができる。
【００６６】
また、本実施形態では、第１排水流路３５と第２排水流路３６との間には、仕切板７１が設けられている。そのため、第２流入筒状部３３から勢いよく排水が流入した場合、その排水が、仕切板７１によって、第２排水流路３６の側面を超えて第１排水流路３５の上流側に流れることを防ぐことができると共に、排水が仕切板７１によって第１排水流路３５の下流側に導かれ易い。よって、第２流入筒状部３３から流入した排水が、第１流入筒状部３２から逆流して流出することを防ぐことができる。
【００６７】
平面視において、第２流入口５２の中心軸Ｌ１３は、点検口４１の中心点Ｌ１１よりも第１流入筒状部３２側に位置している。ここでは、第２流入筒状部３３の流出筒状部３４側の側端部は、点検口４１の中心軸Ｌ１１よりも第１流入筒状部３２側に位置している。このことによって、第２流入口５２から流入した排水は、平面視において、点検口４１の外方で仕切板７１にぶつかり易くなる。そのため、仕切板７１にぶつかった排水は、散らばりにくくなると共に、第２排水流路３６へ流れ易くなる。
【００６８】
平面視において、第２流入筒状部３３の接続しろ６２の少なくとも一部は、点検口４１と重なっている。そのため、排水ます３０Ａにおける第２流入筒状部３３の軸方向、すなわち、前後方向に対する距離を、特許文献１の排水ますよりも短くすることができる。よって、特許文献１の排水ますに比べてコンパクト化を図ることができる。
【００６９】
ます本体３１、第１流入筒状部３２、第２流入筒状部３３および流出筒状部３４は、一体的に成形されている。このことによって、ます本体３１と、第１流入筒状部３２と、第２流入筒状部３３と、流出筒状部３４との接続部分から排水が漏れにくくなる。よって、排水ます３０Ａ内において、排水を円滑に流すことができる。
【００７０】
図８に示すように、仕切板７１は、第２流入筒状部３３から連続し、第１流入筒状部３２側に凸となるように湾曲した曲板７２と、曲板７２の下流端に設けられ、第２排水流路３６の下流側に延びた直板７３と、を備えている。このことによって、第２流入筒状部３３から勢いよく流入した排水は、曲板７２にぶつかった後、曲板７２に沿って第２排水流路３６の下流側に流れ易い。よって、第２流入筒状部３３から流入した排水は、曲板７２に沿って流出筒状部３４の流出口５３へ流れ易い。また、第１流入筒状部３２からます本体３１内に流入した排水は、曲板７２に沿って流れるため、第１排水流路３５の下流側に流れ易くなる。
【００７１】
このように、本実施形態では、仕切板７１の曲板７２および直板７３は、第１流入筒状部３２からます本体３１内に流入した排水と、第２流入筒状部３３からます本体３１内に流入した排水との両方から流れる排水を、流出筒状部３４に案内する役割を担っている。そのため、排水ます３０Ａの第２流入筒状部３３の中心軸Ｌ１３の方向に対する長さを短くした場合であっても、第１流入筒状部３２および第２流入筒状部３３から流入した排水を、流出筒状部３４に流れ易くすることができる。したがって、本実施形態に係る排水ます３０Ａは、周りに他の配管などの部材が埋設されているような狭小地であっても、特許文献１の排水ますに比べて設置し易い。
【００７２】
ます本体３１内に破損または詰まりなどがあるか否かのメンテナンスを行うために、点検口４１からます本体３１内に向けて、メンテナンス用の維持管理器具（図示せず）を挿入する。図５に示すように、直板７３の上部は、下流側に向かうに連れて下方に傾斜している。このことによって、上記維持管理器具を点検口４１からます本体３１内に挿入する際、上記維持管理器具は、直板７３の上部の傾斜を滑るようにしてます本体３１内に案内される。よって、上記維持管理器具を円滑にます本体３１内に挿入することができる。
【００７３】
図７に示すように、第１流入筒状部３２側から見たとき、仕切板７１の少なくとも一部は、第１流入口５１の内部に配置されている。このことによって、第２排水流路３６の幅を広くすることができる。よって、第２排水流路３６において、排水が流れる量を多くすることができる。また、第２流入筒状部３３からます本体３１内に流入した排水を、仕切板７１の曲板７２に沿って、下流側に流し易い。したがって、第２排水流路３６内の排水が第２流入筒状部３３から逆流して流出しにくくすることができる。
【００７４】
図２に示すように、平面視において、第２流入筒状部３３は、ます本体３１の側部から第１流入筒状部３２の側部に亘って設けられている。このことによって、ます本体３１内において、第２排水流路３６の距離を確保することができる。よって、第２流入筒状部３３から流入した排水の量が多い場合であっても、第２排水流路３６内で排水が詰まりにくくすることができる。
【００７５】
第２流入筒状部３３からます本体３１内に排水が勢いよく流入したとき、排水は仕切板７１の曲板７２にぶつかる。曲板７２にぶつかった排水は、あらゆる方向に散らばり易いため、ます本体３１内に飛び散るおそれがある。しかし、本実施形態では、曲板７２は、平面視において、点検口４１の外方であって、第１流入筒状部３１と第２流入筒状部３２との間に設けられている。そのため、曲板７２にぶつかった排水は、第２流入筒状部３２内に飛び散るため、ます本体３１内に飛び散りにくくすることができる。
【００７６】
平面視において、第２流入筒状部３３は、第１流入筒状部３２側に凸となるように湾曲している。第２流入筒状部３３は、下流側に向かうに連れて流出口５３側に向くように若干湾曲している。このことによって、第２流入口５２から第２流入筒状部３３に流入した排水は、第２流入筒状部３３の湾曲部分に沿って、流出口５３へ流れ易い。よって、第２流入筒状部３３に流入した排水が、第１流入筒状部３２から逆流して流出しにくくすることができる。
【００７７】
図４に示すように、第１排水流路３５の途中部分の底面には、下流側に向かって下方に傾斜した傾斜部３５ａが設けられている。このことによって、第１排水流路３５の下流側に流入した排水は、傾斜部３５ａによって、第１排水流路３５の上流側に逆流しにくくなる。よって、第１排水流路３５の下流側に流入した排水が、第１流入筒状部３２から逆流して流出することを防止することができる。
【００７８】
排水が流出する流出口５３は、流出筒状部３４の下流端に設けられている。このことによって、流出口５３と第１排水流路３５の下流端との間には、流出筒状部３４によって、距離が確保されている。よって、主管路１０の下流側を流れる排水が流出口５３からます本体３１内の第１排水流路３５に流入しにくくすることができる。
【００７９】
以上、本実施形態に係る排水ます３０Ａについて説明した。しかし、本発明に係る排水ますは、上記実施形態に係る排水ます３０Ａに限らず、他の種々の形態で実施することができる。
【００８０】
＜他の実施形態＞
図９は、他の実施形態に係る排水ます３０Ｂの平面図である。図１０は、他の実施形態に係る排水ます３０Ｂの右側面図である。図９に示すように、排水ます３０Ｂは、エルボ管９０を備えている。エルボ管９０は、排水ます３０Ｂの第２流入筒状部３３に回動自在に接続されている。エルボ管９０の下流端は、第２流入筒状部３３の接続しろ６２に接続されている。エルボ管９０の上流端は、分岐管路２０に接続される。図１０に示すように、側面視において、エルボ管９０の上流端の端面を通る直線と下流端の端面を通る直線とは、直交している。しかし、側面視において、エルボ管９０の上流端の端面を通る直線と下流端の端面を通る直線とは、直交していなくてもよい。図１０では、エルボ管９０の上流端、すなわち、分岐管路２０が接続される側の端面は、上方に開口しているが、その開口の向きは特に限定されない。本実施形態によれば、第２流入筒状部３３に接続される分岐管路２０がどのような方向に延びている場合であっても、エルボ管９０を介して、分岐管路２０と第２流入筒状部３３との接続がし易くなる。
【００８１】
なお、上記各実施形態において、「平行」、「直交」には、それぞれ「略平行」、「略直交」も含まれる。
【００８２】
＜変形例＞
上記実施形態では、排水ます３０Ａに接続されている排水設備５は１つであった。しかし、排水ます３０Ａに接続される排水設備５の数は特に限定されない。例えば、１つの排水ます３０Ａに、複数の排水設備５が分岐管路２０を介して接続されていてもよい。
【００８３】
上記実施形態では、排水ます３０Ａのます本体３１には、排水が流入する流入口が２つ設けられていた。しかし、排水が流入する流入口がます本体３１に３つ以上設けられていてもよい。例えば、ます本体３１の側部に、第３流入口（図示せず）が設けられていてもよい。
【符号の説明】
【００８４】
１  排水システム
３０Ａ、３０Ｂ  排水ます
３１  ます本体
３２  第１流入筒状部
３３  第２流入筒状部
３４  流出筒状部
３５  第１排水流路
３６  第２排水流路
５１  第１流入口
５２  第２流入口
５３  流出口
４１  点検口
７１  仕切板
７２  曲板
７３  直板
【要約】
【課題】狭小地に配置し易く、第２流入口から流入した排水が第１流入口から逆流することを好適に防ぐ排水ますを提供する。
【解決手段】平面視において、第１流入口５１の端面を通る直線と第２流入口５２の端面を通る直線とは直交している。平面視において、第１流入口５１の中心軸Ｌ１２と、点検口４１の中心軸Ｌ１１から中心軸Ｌ１２に直交するように延びた直線Ｌ３１との交点を交点Ｐ４１とする。平面視において、交点Ｐ４１を中心にして、第１流入口５１の中心軸Ｌ１２とのなす角度Ｒ２が４５度となるように、交点Ｐ４１から第２流入口５２側に延びた直線を直線Ｌ３２としたとき、直線Ｌ３２と第２流入口５２の中心軸Ｌ１３とが交わる交点Ｐ４２が、点検口４１の外方であって、第２排水流路３６上に位置している。第１排水流路３５と第２排水流路３６との間には、上方に延びた仕切板７１が設けられている。
【選択図】図２【図１】
0005669974.tif 000002
【図２】
0005669974.tif 000003
【図３】
0005669974.tif 000004
【図４】
0005669974.tif 000005
【図５】
0005669974.tif 000006
【図６】
0005669974.tif 000007
【図７】
0005669974.tif 000008
【図８】
0005669974.tif 000009
【図９】
0005669974.tif 000010
【図１０】
0005669974.tif 000011
【図１１】
0005669974.tif 000012